(57)【要約】【課題】下側家具１に対する上側家具２の所定位置への積み重ね作業を容易にした積み重ね家具を提供する。【解決手段】下側家具１の上面に左右一対の突出部１２ａ，１２ｂが突設され、上側家具２の底面には、前記左右一対の突出部１２ａ，１２ｂのそれぞれに嵌合して下側家具１に対し上側家具２を位置決めする左右一対の凹部１７ａ，１７ｂが設けられた積み重ね家具において、前記左右一対の突出部１２ａ，１２ｂは、下側家具１の上面の前側辺より適当距離だけ後方に離れた位置に設けられ、前記左右一対の凹部１７ａ，１７ｂは、少なくとも後端部が上側家具２の後側面に開放された前後方向に長い溝状に構成され、前記左右一対の突出部１２ａ，１２ｂは、下側家具１の上面での上側家具２の後方への滑動により左右一対の前記溝状凹部１７ａ，１７ｂ内にその開放後端部から嵌入可能に設けられた構成。【選択図】図２
2007215711.tif 000002
【特許請求の範囲】
【請求項１】
下側家具と当該下側家具の上に積み重ねられる上側家具とから成る積み重ね家具であって、下側家具の上面に左右一対の突出部が突設され、上側家具の底面には、前記左右一対の突出部のそれぞれに嵌合して下側家具に対し上側家具を位置決めする左右一対の凹部が設けられた積み重ね家具において、前記左右一対の突出部は、下側家具の上面の前側辺より適当距離だけ後方に離れた位置に設けられ、前記左右一対の凹部は、少なくとも後端部が上側家具の後側面に開放された前後方向に長い溝状に構成され、前記左右一対の突出部は、下側家具の上面での上側家具の後方への滑動により左右一対の前記溝状凹部内にその開放後端部から嵌入可能に設けられている、積み重ね家具。
【請求項２】
前記左右一対の溝状凹部は、下側家具の上面で上側家具が後方へ所定の積み重ね位置まで滑動したとき、前記左右一対の突出部の前端に当接する閉じた前端を有する、請求項１に記載の積み重ね家具。
【請求項３】
下側家具に対し上側家具が所定の積み重ね位置に積み重ねられた状態において、下側家具と上側家具とを連結する連結手段が併設されている、請求項１又は２に記載の積み重ね家具。
【請求項４】
前記突出部は、前記溝状凹部の長さ方向に連続する長い棒状本体とその長さ方向の両端から下向きに突出する差し込み軸部とから成り、下側家具の上面には、前後両端の差し込み軸部が各別に差し込まれる取付孔が設けられている、請求項１〜３の何れか１項に記載の積み重ね家具。
【請求項５】
前記突出部の長い棒状本体は金属製棒状材から成り、前記突出部の差し込み軸部は前記金属製棒状材の両端を曲げ加工して構成されている、請求項４に記載の積み重ね家具。
【請求項６】
前記突出部の長い棒状本体の両端近傍位置には、前記金属製棒状材を下向きに突曲させて構成した前後一対の突起部が設けられ、この前後一対の突起部が下側家具の上面に当接している、請求項５に記載の積み重ね家具。
【請求項７】
前記突出部は、前記溝状凹部の長さ方向に連続する矩形断面の長い棒状体から成り、下側家具の上面には、前記長い棒状体の下半部が嵌め込まれる取付用溝が設けられている、請求項１〜３の何れか１項に記載の積み重ね家具。
【請求項８】
前記突出部は、前記溝状凹部の長さ方向適当間隔おきに配置された少なくとも２本の軸状部材から構成され、下側家具の上面には、前記各軸状部材の下半部が差し込まれる取付孔が設けられている、請求項１〜３の何れか１項に記載の積み重ね家具。
【請求項９】
前記溝状凹部の開放後端部は、後方ほど巾が広くなる横断面扇形に構成されている、請求項１〜８の何れか１項に記載の積み重ね家具。
【請求項１０】
上側家具の上端の天井板の上側に囲み枠で囲まれた矩形凹入空間が形成され、この矩形凹入空間内に突っ張り用板状体が昇降自在に遊嵌され、この突っ張り用板状体を支持して押し上げる複数本の押上用ボルトが前記天井板に設けられ、突っ張り用板状体を押上用ボルトで押し上げてこの積み重ね家具の設置位置における建物天井面にこの突っ張り用板状体を押し付けたとき、当該突っ張り用板状体の全体が前記囲み枠から上方に出てしまわないように、前記囲み枠を含むこの積み重ね家具の高さが設定されている、請求項１〜９の何れか１項に記載の積み重ね家具。
【発明の詳細な説明】
【技術分野】
【０００１】
本発明は、下側家具と当該下側家具の上に積み重ねられる上側家具とから成る積み重ね家具に関するものである。
【背景技術】
【０００２】
この種の積み重ね家具には、下側家具に積み重ねた上側家具を下側家具に対し位置決めする手段が設けられるが、従来のこの種積み重ね家具における上側家具位置決め手段は、下側家具の上面に突設された軸状部材（ダボ）と、上側家具の底面に設けられた孔とから構成されており、下側家具の軸状部材を上側家具の孔に嵌め込むように上側家具を下側家具の上に降ろすように積み重ねるものであった。
【発明の開示】
【発明が解決しようとする課題】
【０００３】
上記のような従来の積み重ね家具では、上側家具を下側家具の上に積み重ねるとき、上側家具の底面が下側家具の上面に突設された軸状部材の上端よりも高くなるように上側家具の全体を持ち上げた状態で、下側家具側の軸状部材と上側家具側の孔とを位置合わせし、下側家具側の軸状部材と上側家具側の孔とが上下に合致したところで上側家具を下側家具の上に降ろさなければならず、上側家具の積み重ね作業に多大の労力を要するというだけでなく、下側家具と建物天井面との間に上側家具の高さより十分に高い余裕空間を要するという問題点があった。
【課題を解決するための手段】
【０００４】
本発明は上記のような従来の問題点を解消し得る積み重ね家具を提供することを目的とするものであって、その手段を後述する実施形態の参照符号を付して示すと、下側家具１と当該下側家具１の上に積み重ねられる上側家具２とから成る積み重ね家具であって、下側家具１の上面に左右一対の突出部１２ａ，１２ｂが突設され、上側家具２の底面には、前記左右一対の突出部１２ａ，１２ｂのそれぞれに嵌合して下側家具１に対し上側家具２を位置決めする左右一対の凹部１７ａ，１７ｂが設けられた積み重ね家具において、前記左右一対の突出部１２ａ，１２ｂは、下側家具１の上面の前側辺より適当距離だけ後方に離れた位置に設けられ、前記左右一対の凹部１７ａ，１７ｂは、少なくとも後端部が上側家具２の後側面に開放された前後方向に長い溝状に構成され、前記左右一対の突出部１２ａ，１２ｂは、下側家具１の上面での上側家具２の後方への滑動により左右一対の前記溝状凹部１７ａ，１７ｂ内にその開放後端部から嵌入可能に設けられた構成となっている。
【０００５】
上記構成の本発明を実施するについて、具体的には請求項２に記載のように、前記左右一対の溝状凹部１７ａ，１７ｂは、下側家具１の上面で上側家具２が後方へ所定の積み重ね位置まで滑動したとき、前記左右一対の突出部１２ａ，１２ｂの前端に当接する閉じた前端を有するように構成することができる。又、請求項３に記載のように、下側家具１に対し上側家具２が所定の積み重ね位置に積み重ねられた状態において、下側家具１と上側家具２とを連結する連結手段１８ａ，１８ｂを併設することができる。
【０００６】
前記突出部１２ａ，１２ｂとしては、請求項４に記載のように、前記溝状凹部１７ａ，１７ｂの長さ方向に連続する長い棒状本体１３とその長さ方向の両端から下向きに突出する差し込み軸部１４ａ，１４ｂとから構成し、下側家具１の上面には、前後両端の差し込み軸部１４ａ，１４ｂが各別に差し込まれる取付孔１６ａ，１６ｂを設けておくことができる。この場合、請求項５に記載のように、前記突出部１２ａ，１２ｂの長い棒状本体１３は金属製棒状材から構成し、前記突出部１２ａ，１２ｂの差し込み軸部１４ａ，１４ｂは前記金属製棒状材の両端を曲げ加工して構成することができる。更にこの場合、請求項６に記載のように、前記突出部１２ａ，１２ｂの長い棒状本体１３の両端近傍位置には、前記金属製棒状材を下向きに突曲させて構成した前後一対の突起部１５ａ，１５ｂを設け、この前後一対の突起部１５ａ，１５ｂを下側家具１の上面に当接させることができる。
【０００７】
又、請求項７に記載のように、前記突出部１２ａ，１２ｂは、前記溝状凹部１７ａ，１７ｂの長さ方向に連続する矩形断面の長い棒状体３２から構成し、下側家具１の上面には、前記長い棒状体３２の下半部が嵌め込まれる取付用溝３３を設けることができる。
【０００８】
又、前記突出部１２ａ，１２ｂは、請求項８に記載のように、前記溝状凹部１７ａ，１７ｂの長さ方向適当間隔おきに配置された少なくとも２本の軸状部材３４ａ，３４ｂから構成し、下側家具１の上面には、前記各軸状部材３４ａ，３４ｂの下半部が差し込まれる取付孔３５ａ，３５ｂを設けることができる。
【０００９】
前記溝状凹部１７ａ，１７ｂの開放後端部３６は、請求項９に記載のように、後方ほど巾が広くなる横断面扇形に構成することができる。
【００１０】
更に、上側家具２の上端の天井板１０の上側に囲み枠３０で囲まれた矩形凹入空間２５を形成し、この矩形凹入空間２５内に突っ張り用板状体２３を昇降自在に遊嵌し、この突っ張り用板状体２３を支持して押し上げる複数本の押上用ボルト２４を前記天井板１０に設け、突っ張り用板状体２３を押上用ボルト２４で押し上げてこの積み重ね家具の設置位置における建物天井面３１にこの突っ張り用板状体２３を押し付けるように構成する場合、請求項１０に記載のように、建物天井面３１に前記突っ張り用板状体２３を押し付けたとき、当該突っ張り用板状体２３の全体が前記囲み枠３０から上方に出てしまわないように、前記囲み枠３０を含むこの積み重ね家具の高さを設定しておくことができる。
【発明の効果】
【００１１】
上記構成の本発明に係る積み重ね家具によれば、上側家具を下側家具の上に積み重ねるとき、下側家具の上面前側辺と左右一対の突出部との間においては、上側家具の底面後側辺側を載置し、上側家具を下側家具に対し左右横方向に関して位置合わせした状態で上側家具を下側家具の上で後方に押して滑動させるだけで、下側家具側の左右一対の突出部と上側家具側の左右一対の溝状凹部とを互いに嵌合させ、下側家具に対し上側家具を少なくとも左右横方向に関して位置決めした状態で積み重ねることができる。即ち、従来のように上側家具を下側家具側の突出部よりも高いレベルまで持ち上げ、空中で上側家具を下側家具に対し位置合わせして降ろすという必要がなくなり、上側家具の重量を下側家具に預けた状態で上側家具を後方に滑らせるだけで良いので、下側家具に対する上側家具の積み重ね作業を楽に容易に行えるに至ったのである。又、本発明の構成によれば、下側家具の上面と建物天井面との間の高さが上側家具の高さより若干高ければ良いので、積み重ね家具の上端が建物天井面に接近するように積み重ね家具の高さを設定して、地震発生時などにおいて倒伏の恐れが無いか又は少ない安全性の高い積み重ね家具を構成することができる。
【００１２】
尚、請求項２に記載の構成によれば、下側家具に対し上側家具を左右横方向だけでなく前後方向に関しても容易に位置決めすることができ、下側家具に対する上側家具の正確な積み重ね作業を容易に行える。又、請求項３に記載の構成によれば、最終的には下側家具と上側家具とを連結手段で連結して、下側家具に対し上側家具が位置ずれを起こすことを防止できるので、この積み重ね家具の設置後に地震発生などにより上側家具が下側家具に対し前方に位置ずれを起こして落下するなどの危険な事態を防止できる。
【００１３】
又、請求項４に記載の構成によれば、下側家具側の突出部が上側家具側の溝状凹部の長さ方向に連続する長い棒状のものであるから、左右一対の突出部のそれぞれが１本の軸状部材から構成されている場合と比較して、一旦、下側家具側の突出部の前端部が上側家具側の溝状凹部の開放後端部内に入り込んだ後は、後方に押されて滑動する上側家具が左右横方向に向きが変化することはなく、容易に上側家具を後方に直進させて所定の積み重ね位置へ到達させることができると共に、積み重ねられた上側家具の位置を下側家具側の長い棒状の突出部の全長と上側家具側の溝状凹部の側面との当接により強力に保持させることができる。しかも下側家具側には、長い棒状本体が備える前後両端の差し込み軸部を差し込む前後一対の取付孔を設ければ良く、前記長い棒状本体の全長が嵌合する溝を設けなければならない場合と比較して下側家具側に対する加工が容易であるばかりでなく、下側家具のみを使用するために前記長い棒状本体を取り付けない場合でも、前後一対の取付孔が存在するだけであるから、特にその取付孔を塞がなくとも見栄えの面でそれほどの問題を伴うことが無い。勿論、取付孔を塞ぐ場合でも、前記のように溝が設けられている場合よりもその作業は容易である。
【００１４】
上記の請求項４に記載の構成を採用する場合、長い棒状本体は例えば木製の角棒材から構成し、この長い棒状本体の両端部下側に別部品である差し込み軸部を取り付けて構成することができるが、特に請求項５に記載の構成によれば、長い棒状本体とその両端の差し込み軸部とから成る部材全体を１本の金属製棒状材の曲げ加工で容易且つ安価に構成できる。又、この場合に請求項６に記載を採用すれば、前記金属製棒状材として比較的細い線径のものを使用しながら長い棒状本体の下側家具上面からの突出高さを高くして、上側家具側の溝状凹部との嵌合深さを深くすることができると共に、下側家具側に設ける取付孔の深さで長い棒状本体の下側家具上面からの突出高さを規制する場合よりも当該取付孔の加工が容易に行える。
【００１５】
又、請求項７に記載の構成によれば、前記突出部を矩形断面の長い棒状体のみから安価に構成することができるし、請求項８に記載の構成によれば、複数本の軸状部材（ダボ）によって前記突出部を極めて安価に構成することができる。特にこの請求項８に記載の構成を採用するときは、下側家具側の加工などに関しては、先に説明した請求項４に記載の構成による場合の作用効果も同時に得ることができる。
【００１６】
更に、請求項９に記載の構成によれば、上側家具の後側辺を下側家具の上面の前側辺に載せたとき、上側家具の位置が多少左右横方向に関してずれていても、上側家具を後方に押して滑動させたとき、確実に上側家具側の溝状凹部内に下側家具側の突出部を嵌入させることができ、上側家具の積み重ね作業が一層容易になる。
【００１７】
尚、先に説明したように、本発明の構成によれば、積み重ね家具の上端が建物天井面に接近するように積み重ね家具の高さを設定して、地震発生時などにおいて倒伏の恐れが無いか又は少ない安全性の高い積み重ね家具を構成することができるのであるが、この場合に、請求項１０に記載の構成を採用することにより、上側家具上端と建物天井面との間の僅かな隙間を更に突っ張り用板状体によって埋め、建物床面と建物天井面との間に作り付けされたような見栄えの良い、しかも転倒の恐れの全くない積み重ね家具を構成することができる。換言すれば、このような突っ張り手段を備えた積み重ね家具の実用化が本発明によって可能になるに至ったのである。
【発明を実施するための最良の形態】
【００１８】
以下に本発明の具体的実施例を添付図に基づいて説明すると、図１において、１は下側家具、２は下側家具１の上に積み重ねられる上側家具である。この実施形態に示す下側家具１と上側家具２とは、両開き扉３，４で開閉される収納空間が、左右両側板５ａ〜６ｂ、底板７，８、天井板９，１０、及び背板で構成されている。又、上側家具２の上端には突っ張り装置１１が設けられている。
【００１９】
下側家具１と上側家具２との積み重ね部の詳細構造を図２〜図４に基づいて説明すると、下側家具１の上面、具体的には左右両側板５ａ，５ｂの上端面には、当該左右両側板５ａ，５ｂの上端面の後半領域に前後方向に長い突出部１２ａ，１２ｂが着脱自在に突設されている。この突出部１２ａ，１２ｂは、１本の金属製棒状材から成る前後方向に長い棒状本体１３と、当該金属製棒状材の両端部を下方に略直角に折曲して構成した前後一対の差込み軸部１４ａ，１４ｂと、棒状本体１３の両端近傍位置で前記金属製棒状材を下方にＶ字形に突曲させて形成した突起部１５ａ，１５ｂとを備えたものであり、左右両側板５ａ，５ｂの上端に設けられた前後一対の取付孔１６ａ，１６ｂに差込み軸部１４ａ，１４ｂを抜き差し自在に圧入して取り付けられている。尚、前後一対の突起部１５ａ，１５ｂを左右両側板５ａ，５ｂの上端面に当接させることにより差込み軸部１４ａ，１４ｂの差込み深さが規制され、この状態で棒状本体１３が左右両側板５ａ，５ｂの上端面と平行で且つ所定高さに保持されるように構成されている。
【００２０】
上側家具２の底面、具体的には左右両側板６ａ，６ｂの下端面には、図１及び図２に示すように下側家具１に対し上側家具２を所定の積み重ね位置に積み重ねたとき、下側家具１側の左右一対の突出部１２ａ，１２ｂ（棒状本体１３）が嵌合するように溝状凹部１７ａ，１７ｂが設けられている。この溝状凹部１７ａ，１７ｂは、前記のように下側家具１に対し上側家具２を所定の積み重ね位置に積み重ねたときに突出部１２ａ，１２ｂ（棒状本体１３）の前端が当接する閉じた前端を有すると共に、後端は上側家具２の後側面に達して開放されている。
【００２１】
この実施形態では、下側家具１に対し上側家具２を所定の積み重ね位置に積み重ねた状態で下側家具１と上側家具２とを結合一体化する左右一対の連結手段１８ａ，１８ｂが併設されている。この両連結手段１８ａ，１８ｂは、下側家具１に対し上側家具２を所定の積み重ね位置に積み重ねたときに上下同心状に位置するように、下側家具１の天井板９の左右２カ所と上側家具２の底板８の左右２カ所とに設けられた垂直貫通孔１９，２０と、これら上下同心状に位置する垂直貫通孔１９，２０に挿通されるボルト２１と、このボルト２１に螺合締結されるナット２２とで構成されている。
【００２２】
上側家具２が備える突っ張り装置１１は、図５及び図６に示すように、突っ張り用板状体２３とこれを支持して押し上げる左右一対の押上用ボルト２４とから構成されている。突っ張り用板状体２３は、上側家具２の天井板１０の上側に形成された矩形凹入空間２５内に昇降自在に遊嵌されたものであり、左右一対の押上用ボルト２４のそれぞれは、天井板１０に上から嵌め込まれて固定された雌ねじ体２６を垂直に螺合貫通し、下端には回転操作部２４ａを備え、上端には相対回転自在に取り付けられた円錐形の押し盤２４ｂを備えている。そして突っ張り用板状体２３の底面には、両押上用ボルト２４の上端の押し盤２４ｂが丁度嵌合する浅い凹部が形成されている。前記矩形凹入空間２５は、天井板１０の周囲に配設された前側板部２７、左右両側板部２８ａ，２８ｂ、及び背板部２９から形成された囲み枠３０によって構成されている。尚、左右両側板部２８ａ，２８ｂは、天井板１０より上方に延出させた左右両側板６ａ，６ｂの上端部で兼用させている。又、背板部２９は省くことも可能である。
【００２３】
上記構成の下側家具１と上側家具２とから成る積み重ね家具の設置方法を説明すると、図３及び図４に示すように、所定位置に設置された下側家具１の上面の前半部、即ち、左右一対の突出部１２ａ，１２ｂよりも前側の上面領域に、上側家具２の底面の後半部を載せる。このとき突っ張り装置１１の突っ張り用板状体２３は、押上用ボルト２４のねじ戻しにより下降させ、囲み枠３０内の矩形凹入空間２５内に収容させておく。次に下側家具１に対し上側家具２の左右横方向の位置を合わせた状態（下側家具１の左右両側板５ａ，５ｂと上側家具２の左右両側板６ａ，６ｂとが左右横方向に関して丁度合致する状態）において、上側家具２を後方に押して下側家具１の上面上で上側家具２を後方に滑動させ、この上側家具２側の左右一対の溝状凹部１７ａ，１７ｂ内に、当該溝状凹部１７ａ，１７ｂの開放後端部より下側家具１側の左右一対の突出部１２ａ，１２ｂ（棒状本体１３）を相対的に進入させ、左右一対の突出部１２ａ，１２ｂ（棒状本体１３）の前端と左右一対の溝状凹部１７ａ，１７ｂの閉じた前端とが当接するまで上側家具２を後方に滑動させる。
【００２４】
上記の下側家具１上における上側家具２の後方への押し込みにより、下側家具１に対し上側家具２を所定の積み重ね位置に積み重ねることができるので、係る状態で下側家具１の天井板９と上側家具２の底板８とを左右２カ所で連結手段１８ａ，１８ｂにより結合一体化させる。即ち、下側家具１に対し上側家具２が所定の積み重ね位置に積み重ねられることにより、下側家具１の天井板９の左右一対の垂直貫通孔１９と上側家具２の底板８の左右一対の垂直貫通孔２０とが上下同心状に合致するので、ボルト２１を上下両垂直貫通孔１９，２０内に挿通させ、ナット２２を螺合締結することにより、下側家具１の天井板９と上側家具２の底板８とを互いに締結させる。
【００２５】
上記作業で下側家具１と上側家具２とから成る積み重ね家具の組み立てが完了するが、このとき、図１及び図５に示すように、積み重ね家具の全高（下側家具１の高さＨ２と上側家具２の高さＨ３とを加算した値Ｈ２＋Ｈ３）と建物天井面３１の高さＨ１との差である隙間αが、上側家具２の上端（囲み枠３０の上端）と建物天井面３１との間に形成される。この隙間αが突っ張り装置１１の突っ張り用板状体２３の厚さｔと同一か又は小さくなるように、下側家具１と上側家具２とを製造しておく。一般的には、規定高さＨ２の下側家具１に対し、建物天井面３１の高さＨ１に応じて上記の隙間αが確保できるように上側家具２の高さＨ３を設定して当該上側家具２を製造することになる。
【００２６】
上記の条件が満足されていれば、積み重ね家具の設置後、突っ張り装置１１における左右一対の押上用ボルト２４をねじ込んで突っ張り用板状体２３を上昇させ、当該突っ張り用板状体２３を建物天井面３１に圧接させてこの積み重ね家具を建物床面と天井面３１との間で突っ張らせて固定したとき、突っ張り用板状体２３は、その底面が囲み枠３０の上端と略面一か又は突っ張り用板状体２３の底部が囲み枠３０内（矩形凹入空間２５内）に嵌合している状態であり、真横から見たとしても上側家具２の上端（囲み枠３０の上端）と建物天井面３１との間に空隙は生じない。
【００２７】
尚、左右一対の連結手段１８ａ，１８ｂを併設したが、上側家具２の左右横巾が大きなときは、３つ又はそれ以上の数の連結手段を左右横方向に配設して下側家具１と上側家具２とを結合一体化することができる。又、下側家具１のみで使用するときは、突出部１２ａ，１２ｂである棒状本体１３の前後一対の差込み軸部１４ａ，１４ｂを下側家具１側の取付孔１６ａ，１６ｂから引き抜いて突出部１２ａ，１２ｂを無くすことができる。この場合、必要に応じて取付孔１６ａ，１６ｂに木製軸状部材を打ち込んで固着するなどして、取付孔１６ａ，１６ｂの存在を判らなくすることができる。
【００２８】
下側家具１側に必要な左右一対の突出部１２ａ，１２ｂとしては、図７に示すように、前後方向に連続する（前記溝状凹部１７ａ，１７ｂの長さ方向に連続する）木製などの矩形断面の長い棒状体３２を使用することもできる。この場合、下側家具１の上面には、前記棒状体３２の下半部を嵌め込んで当該棒状体３２を着脱自在に固定する取付用溝３３が設けられる。又、図８に示すように、各突出部１２ａ，１２ｂを少なくとも２本の軸状部材３４ａ，３４ｂから構成することもできる。この場合は、下側家具の上面に前後方向適当間隔おき（前記溝状凹部１７ａ，１７ｂの長さ方向適当間隔おき）に、各軸状部材３４ａ，３４ｂの下半部を差し込んで当該各軸状部材３４ａ，３４ｂを着脱自在に固定する取付孔３５ａ，３５ｂが設けられる。これらの場合も、下側家具１のみで使用するときは、突出部１２ａ，１２ｂである棒状体３２や軸状部材３４ａ，３４ｂを取付用溝３３や取付孔３５ａ，３５ｂから引き抜き、必要に応じてこれら取付用溝３３や取付孔３５ａ，３５ｂに埋め木などを詰めて、取付用溝３３や取付孔３５ａ，３５ｂの存在を判らなくすることができる。
【００２９】
更に、上側家具２側に設けられる溝状凹部１７ａ，１７ｂは、図９に示すように、上側家具２の前後奥行きの全長域にわたって連続するように設けても良い。この場合は、下側家具１の上で後方に滑動させた上側家具２を所定の積み重ね位置で制止させることができないので、上側家具２の前縁が下側家具１の前縁に対し所定位置に達したところで上側家具２の後方への押し込み操作を終えなければならない。
【００３０】
又、図１０に示すように、溝状凹部１７ａ，１７ｂの開放後端部３６は、下側家具１側の突出部１２ａ，１２ｂの進入を容易且つ確実にするために、後方ほど巾が広くなる横断面扇形に構成するのが望ましい。
【図面の簡単な説明】
【００３１】
【図１】積み重ね家具の全体を設置状態で示す正面図である。
【図２】Ａ図は下側家具と上側家具との積み重ね部を示す一部縦断側面図、Ｂ図は同積み重ね部の一部切欠き側面図である。
【図３】下側家具に対する上側家具の積み重ね作業途中の状態を示す要部の一部切欠き側面図である。
【図４】図３の要部の横断平面図である。
【図５】上側家具上端の突っ張り装置を示す一部縦断正面図である。
【図６】同突っ張り装置を示す一部切欠き平面図である。
【図７】Ａ図は突出部の変形例を示す要部の一部縦断側面図、Ｂ図は同要部の平面図である。
【図８】Ａ図は突出部の他の変形例を示す要部の一部縦断側面図、Ｂ図は同要部の平面図である。
【図９】Ａ図は溝状凹部の変形例を示す要部の一部縦断側面図、Ｂ図は同要部の横断平面図である。
【図１０】溝状凹部の他の変形例を示す要部の横断平面図である。
【符号の説明】
【００３２】
１    下側家具（下台）
２    上側家具（上台）
５ａ〜６ｂ    左右両側板
７，８    底板
９，１０    天井板
１１    突っ張り装置
１２ａ，１２ｂ    突出部
１３    長い棒状本体
１４ａ，１４ｂ    差込み軸部
１５ａ，１５ｂ    突起部
１６ａ，１６ｂ、３５ａ，３５ｂ    取付孔
１７ａ，１７ｂ    溝状凹部
１８ａ，１８ｂ    連結手段
２３    突っ張り用板状体
２４    押上用ボルト
２５    矩形凹入空間
３０    囲み枠
３１    建物天井面
３２    矩形断面の長い棒状体（突出部）
３３    取付用溝
３４ａ，３４ｂ    軸状部材
３６    溝状凹部の開放後端部
【図１】
2007215711.tif 000003
【図２】
2007215711.tif 000004
【図３】
2007215711.tif 000005
【図４】
2007215711.tif 000006
【図５】
2007215711.tif 000007
【図６】
2007215711.tif 000008
【図７】
2007215711.tif 000009
【図８】
2007215711.tif 000010
【図９】
2007215711.tif 000011
【図１０】
2007215711.tif 000012